(57)【特許請求の範囲】
【請求項１】
保持具に装着される清掃シートであって、
前記保持具に装着される保持領域と、清掃対象に当接される清掃領域とを有し、
前記保持領域は、シート要素と、前記シート要素を重ねることによって構成される前記保持具の収容部とを有し、
前記清掃領域は、繊維束と、前記繊維束に重ねられる清掃側シート状部材と、前記繊維束と前記清掃側シート状部材を接合する接合部とを有し、
前記繊維束は、所定の配向性を有する繊維束構成繊維を複数配列することにより構成され、
前記清掃側シート状部材は、前記繊維束側に向けられる第１面と、前記第１面とは反対側の第２面と、切込み要素と、前記切込み要素により構成される短冊要素とを有し、
前記切込み要素は、複数の切込み部により構成され、
前記短冊要素は、前記複数の切込み部における一対の切込み部同士の間に形成され、第１短冊片と、第２短冊片とを有し、
前記繊維束構成繊維は、前記接合部を起点として前記保持領域から離間する方向へ起立可能に構成され、
前記第１短冊片および前記第２短冊片は、前記第１面に構成された第１係合部と、前記第２面に構成された第２係合部とを有するとともに、前記接合部を起点として前記保持領域から離間する方向へ起立可能に構成され、
前記第１短冊片および前記第２短冊片が起立した状態において、前記第１係合部は前記繊維束構成繊維と係合可能に構成され、前記第１短冊片の前記第２係合部と前記第２短冊片の前記第２係合部とは互いに係合可能に構成されていることを特徴とする清掃シート。
【請求項２】
請求項１に記載された清掃シートであって、
前記清掃側シート状部材は、前記接合部と前記短冊要素の先端部とに亘る方向により規定される第１方向と、前記第１方向と交差する第２方向とを有することを特徴とする清掃シート。
【請求項３】
請求項１または２に記載された清掃シートであって、
前記清掃側シート状部材は、不織布により構成され、
前記不織布は、前記第１方向に配向性を有する複数の不織布構成繊維を有することを特徴とする清掃シート。
【請求項４】
請求項３に記載された清掃シートであって、
前記第１係合部は、前記第１面に露出した前記不織布構成繊維により構成されることを特徴とする清掃シート。
【請求項５】
請求項３または４に記載された清掃シートであって、
前記第２係合部は、前記第２面に露出した前記不織布構成繊維により構成されることを特徴とする清掃シート。
【請求項６】
請求項３から５のいずれか１項に記載された清掃シートであって、
前記不織布は、前記第１方向の剛性が前記第２方向の剛性よりも大きいことを特徴とする清掃シート。
【請求項７】
請求項３から６のいずれか１項に記載された清掃シートであって、
前記不織布は、前記第１方向の剛性が６９．７ｍｍから８０．０ｍｍであるとともに、前記第２方向の剛性が３５．０ｍｍから３９．９ｍｍであることを特徴とする清掃シート。
【請求項８】
請求項３から７のいずれか１項に記載された清掃シートであって、
前記不織布は、全光線透過率が８３パーセント以上であることを特徴とする清掃シート。
【請求項９】
請求項３から８のいずれか１項に記載された清掃シートであって、
前記不織布は、全光線透過率が８３．０３パーセントから８８．４３パーセントであることを特徴とする清掃シート。
【請求項１０】
請求項３から９のいずれか１項に記載された清掃シートであって、
前記不織布は、前記第２面における前記第１方向の平均表面摩擦係数が、前記第１面における前記第１方向の平均表面摩擦係数よりも大きいことを特徴とする清掃シート。
【請求項１１】
請求項３から１０のいずれか１項に記載された清掃シートであって、
前記不織布は、前記第１面における前記第１方向の平均表面摩擦係数が０．１２６ミューから０．１２９ミューであるとともに、前記第２面における前記第１方向の平均表面摩擦係数が０．１３８ミューから０．１４５ミューであることを特徴とする清掃シート。
【請求項１２】
請求項３から１１のいずれか１項に記載された清掃シートであって、
前記不織布は、前記第２面における前記第２方向の平均表面摩擦係数が、前記第１面における前記第２方向の平均表面摩擦係数よりも大きいことを特徴とする清掃シート。
【請求項１３】
請求項３から１２のいずれか１項に記載された清掃シートであって、
前記不織布は、前記第１面における前記第２方向の平均表面摩擦係数が０．１３６ミューから０．１３７ミューであるとともに、前記第２面における前記第２方向の平均表面摩擦係数が０．１４５ミューから０．１６３ミューであることを特徴とする清掃シート。
【請求項１４】
請求項３から１３のいずれか１項に記載された清掃シートであって、
前記不織布は、前記第２面における前記第１方向の表面粗さの平均偏差が、前記第１面における前記第１方向の表面粗さの平均偏差よりも大きいことを特徴とする清掃シート。
【請求項１５】
請求項３から１４のいずれか１項に記載された清掃シートであって、
前記不織布は、前記第１面における前記第１方向の表面粗さの平均偏差が３．２２５ミクロンから３．３５０ミクロンであるとともに、前記第２面における前記第１方向の表面粗さの平均偏差が３．２５０ミクロンから３．５３５ミクロンであることを特徴とする清掃シート。
【請求項１６】
請求項１から１５のいずれか１項に記載された清掃シートであって、
前記シート要素は、第１シート状部材と第２シート状部材とを積層することにより形成される積層シート体により構成され、
前記積層シート体は、前記第１シート状部材と前記第２シート状部材とを接合する第１シート接合部と、前記第１シート接合部とは離間して設けられるとともに前記第１シート状部材と前記第２シート状部材とを接合する第２シート接合部を有し、
前記収容部は、前記第１シート状部材と、前記第２シート状部材と、前記第１シート接合部と、前記第２シート接合部とにより囲まれた空間により構成されることを特徴とする清掃シート。
【請求項１７】
請求項１から１６のいずれか１項に記載された清掃シートであって、
前記シート要素は、単一のシート状部材により構成され、
前記シート状部材は、前記シート状部材における互いに離間した領域を積層することにより構成される積層部と、前記積層部において積層されたシート状部材を接合するシート接合部を有し、
前記収容部は、前記シート接合部と、前記シート接合部における一方の端部から他方の端部に亘る前記シート状部材の領域とにより囲まれた空間により構成されることを特徴とする清掃シート。
【請求項１８】
保持具と、前記保持具に装着される清掃シートとにより構成される清掃用具であって、
前記保持具は、
使用者に把持される把持部と、
前記把持部に連接される長尺部と、を有し、
前記清掃シートは、
前記長尺部に装着される保持領域と、清掃対象に当接される清掃領域とを有し、
前記保持領域は、シート要素と、前記シート要素を重ねることによって構成される前記長尺部の収容部とを有し、
前記清掃領域は、繊維束と、前記繊維束に重ねられる清掃側シート状部材と、前記繊維束と前記清掃側シート状部材を接合する接合部とを有し、
前記繊維束は、所定の配向性を有する繊維束構成繊維を複数配列することにより構成され、
前記清掃側シート状部材は、前記繊維束側に向けられる第１面と、前記第１面とは反対側の第２面と、切込み要素と、前記切込み要素により構成される短冊要素とを有し、
前記切込み要素は、複数の切込み部により構成され、
前記短冊要素は、前記複数の切込み部における一対の切込み部同士の間に形成され、第１短冊片と、第２短冊片とを有し、
前記繊維束構成繊維は、前記接合部を起点として前記保持領域から離間する方向へ起立可能に構成され、
前記第１短冊片および前記第２短冊片は、前記第１面に構成された第１係合部と、前記第２面に構成された第２係合部とを有するとともに、前記接合部を起点として前記保持領域から離間する方向へ起立可能に構成され、
前記第１短冊片および前記第２短冊片が起立した状態において、前記第１係合部は前記繊維束構成繊維と係合可能に構成され、前記第１短冊片の前記第２係合部と前記第２短冊片の前記第２係合部とは互いに係合可能に構成されていることを特徴とする清掃用具。
【発明の詳細な説明】
【技術分野】
【０００１】
本発明は、清掃対象を清掃するための清掃シートおよび清掃用具に関する。
【背景技術】
【０００２】
特開２０１４−１５０９６３号公報には、保持具に装着される清掃シートが記載されている。当該清掃シートは、短冊片を有する清掃対象側シートと、繊維集合体とにより清掃作業を行っていた。なお、清掃作業にあたっては、短冊片と繊維集合体の構成繊維とを起立することにより、当該短冊片および繊維集合体の構成繊維の間に塵芥を付着させる空間を設けていた。すなわち当該清掃シートは、清掃シートにおける清掃作業の実行領域に塵芥を取り込む空間を設けることにより優れた清掃機能を発揮していた。
一方、当該塵芥の取り込み空間の形成にあたり、さらなる改良が望まれていた。
【先行技術文献】
【特許文献】
【０００３】
【特許文献１】特開２０１４−１５０９６３号公報
【発明の概要】
【発明が解決しようとする課題】
【０００４】
本発明は、このような点に鑑みて創案されたものであり、清掃作業の実行領域に塵芥を取り込む空間を設ける構成に関する一層合理的な構築技術を提供することを目的とする。
【課題を解決するための手段】
【０００５】
上記課題を解決するため、本発明に係る清掃シートは、保持具に装着される清掃シートであって、保持具に装着される保持領域と、清掃対象に当接される清掃領域とを有する。
保持領域は、シート要素と、シート要素を重ねることによって構成される保持具の収容部とを有する。すなわち、当該収容部は、保持具に対し着脱自在に構成されている。
清掃領域は、繊維束と、繊維束に重ねられる清掃側シート状部材と、繊維束と清掃側シート状部材を接合する接合部とを有する。繊維束は、所定の配向性を有する繊維束構成繊維を複数配列することにより構成される。清掃側シート状部材は、繊維束側に向けられる第１面と、第１面とは反対側の第２面と、切込み要素と、切込み要素により構成される短冊要素とを有する。切込み要素は、複数の切込み部により構成される。短冊要素は、複数の切込み部における一対の切込み部同士の間に形成され、第１短冊片と、第２短冊片とを有する。なお、短冊要素は複数の短冊片を有するものであり、当該複数の短冊片の内の任意の短冊片を第１短冊片、第２短冊片とすることができる。
繊維束構成繊維は、接合部を起点として保持領域から離間する方向へ起立可能に構成される。第１短冊片および第２短冊片は、第１面に構成された係合部と、第２面に構成された第２係合部とを有するとともに、接合部を起点として保持領域から離間する方向へ起立可能に構成される。すなわち、起立された繊維束構成繊維、第１短冊片および第２短冊片との間の間隔により、塵芥を取り込む空間が構成される。なお、繊維束構成繊維、第１短冊片および第２短冊片の起立は、清掃シートの両端部を使用者が把持した状態において左右の手を交互に上下させる動作や、清掃シートに保持具を装着した状態において使用者が保持具を把持した手を振る動作により行われる。
上述した構成により、第１短冊片および第２短冊片が起立した状態において、第１係合部は繊維束構成繊維と係合可能に構成され、第１短冊片の第２係合部と第２短冊片の第２係合部とは互いに係合可能に構成されている。
【０００６】
本発明に係る清掃シートは、短冊片の第１係合部が繊維束構成繊維を係合した状態で起立し、第１短冊片と第２短冊片が第２係合部により互いに係合された状態で起立するため、特に清掃初期段階における短冊片と繊維束構成繊維の起立状態の維持を容易化することが可能となる。ここで本発明における「係合」につき説明を行う。例えば清掃側シート状部材が不織布である場合には、当該不織布を構成する不織布構成繊維を有する。よって、第１短冊片と第２短冊片が係合するとは、第１短冊片における不織布構成繊維と第２短冊片における不織布構成繊維とが互いに絡み合うことを意味する。また、短冊片と繊維束構成繊維とが「係合する」とは、短冊片における不織布構成繊維と繊維束構成繊維とが互いに絡み合うことを意味する。
【０００７】
また本発明に係る清掃シートにおける解決手段の一態様として、清掃側シート状部材は、接合部と短冊要素の先端部とに亘る方向により規定される第１方向と、第１方向と交差する第２方向とを有する。
【０００８】
また本発明に係る清掃シートにおける解決手段の一態様として、清掃側シート状部材は、不織布により構成することができる。この場合、不織布は、第１方向に配向性を有する複数の不織布構成繊維を有することができる。
【０００９】
また本発明に係る清掃シートにおける解決手段の一態様として、第１係合部は、第１面に露出した不織布構成繊維により構成することができる。この態様に係る清掃シートによれば、不織布構成繊維と繊維束構成繊維とを係合することが可能となる。
【００１０】
また本発明に係る清掃シートにおける解決手段の一態様として、第２係合部は、第２面に露出した不織布構成繊維により構成することができる。この態様に係る清掃シートによれば、第１短冊片の不織布構成繊維と第２短冊片の不織布構成繊維とを係合することが可能となる。
【００１１】
また、本発明に係る清掃シートにおける解決手段の一態様として、不織布は、第１方向の剛性が第２方向の剛性よりも大きいことが好ましい。
【００１２】
また本発明に係る清掃シートにおける解決手段の一態様として、不織布は、前記第１方向の剛性が６９．７ｍｍから８０．０ｍｍであるとともに、前記第２方向の剛性が３５．０ｍｍから３９．９ｍｍであることが好ましい。
【００１３】
また本発明に係る清掃シートにおける解決手段の一態様として、不織布は、全光線透過率が８３．０３パーセントから８８．４３パーセントであることが好ましい。
【００１４】
また本発明に係る清掃シートにおける解決手段の一態様として、不織布は、第２面における第１方向の平均表面摩擦係数が、第１面における第１方向の平均表面摩擦係数よりも大きいことが好ましい。
【００１５】
また本発明に係る清掃シートにおける解決手段の一態様として、不織布は、第１面における第１方向の平均表面摩擦係数が０．１２６ミューから０．１２９ミューであるとともに、第２面における第１方向の平均表面摩擦係数が０．１３８ミューから０．１４５ミューであることが好ましい。
【００１６】
また本発明に係る清掃シートにおける解決手段の一態様として、不織布は、第２面における第２方向の平均表面摩擦係数が、第１面における第２方向の平均表面摩擦係数よりも大きいことが好ましい。
【００１７】
また本発明に係る清掃シートにおける解決手段の一態様として、不織布は、第１面における第２方向の平均表面摩擦係数が０．１２６ミューから０．１２９ミューであるとともに、第２面における第２方向の平均表面摩擦係数が０．１４５ミューから０．１６３ミューであることが好ましい。
【００１８】
また本発明に係る清掃シートにおける解決手段の一態様として、不織布は、第２面における第１方向の表面粗さの平均偏差が、第１面における第１方向の表面粗さの平均偏差よりも大きいことが好ましい。
【００１９】
また本発明に係る清掃シートにおける解決手段の一態様として、不織布は、第１面における第１方向の表面粗さの平均偏差が３．２２５ミクロンから３．３５０ミクロンであるとともに、第２面における第１方向の表面粗さの平均偏差が３．２５０ミクロンから３．５３５ミクロンであることが好ましい。
【００２０】
また本発明に係る清掃シートにおける解決手段の一態様として、シート要素は、第１シート状部材と第２シート状部材とを積層することにより形成される積層シート体により構成することができる。この場合、積層シート体は、第１シート状部材と第２シート状部材とを接合する第１シート接合部と、第１シート接合部とは離間して設けられるとともに第１シート状部材と第２シート状部材とを接合する第２シート接合部を有する。当該構成によって、収容部を、第１シート状部材と、第２シート状部材と、第１シート接合部と、第２シート接合部とにより囲まれた空間により構成することができる。
【００２１】
また本発明に係る清掃シートにおける解決手段の一態様として、シート要素は、単一のシート状部材により構成することができる。シート状部材は、シート状部材における互いに離間した領域を積層することにより構成される積層部と、積層部において積層されたシート状部材を接合するシート接合部を有する。当該構成によって、収容部を、シート接合部と、シート接合部における一方の端部から他方の端部に亘るシート状部材の領域とにより囲まれた空間により構成することができる。
【００２２】
また上記課題を解決するため、本発明に係る清掃用具は、保持具と、保持具に装着される清掃シートとにより構成される。保持具は、使用者に把持される把持部と、把持部に連接される長尺部とを有する。清掃シートは、長尺部に装着される保持領域と、清掃対象に当接される清掃領域とを有する。
保持領域は、シート要素と、シート要素を重ねることによって構成される保持具の収容部とを有する。すなわち、当該収容部は、保持具に対し着脱自在に構成されている。
清掃領域は、繊維束と、繊維束に重ねられる清掃側シート状部材と、繊維束と清掃側シート状部材を接合する接合部とを有する。繊維束は、所定の配向性を有する繊維束構成繊維を複数配列することにより構成される。清掃側シート状部材は、繊維束側に向けられる第１面と、第１面とは反対側の第２面と、切込み要素と、切込み要素により構成される短冊要素とを有する。切込み要素は、複数の切込み部により構成される。短冊要素は、複数の切込み部における一対の切込み部同士の間に形成され、第１短冊片と、第２短冊片とを有する。なお、短冊要素は複数の短冊片を有するものであり、当該複数の短冊片の内の任意の短冊片を第１短冊片、第２短冊片とすることができる。
繊維束構成繊維は、接合部を起点として保持領域から離間する方向へ起立可能に構成される。第１短冊片および第２短冊片は、第１面に構成された係合部と、第２面に構成された第２係合部とを有するとともに、接合部を起点として保持領域から離間する方向へ起立可能に構成される。すなわち、起立された繊維束構成繊維、第１短冊片および第２短冊片との間の間隔により、塵芥を取り込む空間が構成される。なお、繊維束構成繊維、第１短冊片および第２短冊片の起立は、清掃シートの両端部を使用者が把持した状態において左右の手を交互に上下させる動作や、清掃シートに保持具を装着した状態において使用者が保持具を把持した手を振る動作により行われる。
上述した構成により、第１短冊片および第２短冊片が起立した状態において、第１係合部は繊維束構成繊維と係合可能に構成され、第１短冊片の第２係合部と第２短冊片の第２係合部とは互いに係合可能に構成されている。
【００２３】
本発明に係る清掃用具は、短冊片の第１係合部が繊維束構成繊維を係合した状態で起立し、第１短冊片と第２短冊片が第２係合部により互いに係合された状態で起立するため、特に清掃初期段階における短冊片と繊維束構成繊維の起立状態の維持を容易化することが可能となる。
【発明の効果】
【００２４】
本発明によれば、清掃領域に塵芥を取り込む空間を設ける構成に関する一層合理的な構築技術を提供することが可能となる。
【図面の簡単な説明】
【００２５】
【図１】本発明の第１実施形態に係る清掃用具の斜視図である。
【図２】本発明の第１実施形態に係る保持具の平面図である。
【図３】本発明の第１実施形態に係る清掃シートの平面図である。
【図４】当該清掃シートの底面図である。
【図５】図３におけるＩＩ−ＩＩ線断面図である。
【図６】短冊要素を示す説明図である。
【図７】短冊要素および繊維束を示す説明図である。
【図８】短冊片および繊維束構成要素の動作を示す説明図である。
【図９】本発明の第２実施形態に係る清掃シートの説明図である。
【発明を実施するための形態】
【００２６】
（第１実施形態の説明）
本発明に係る第１実施形態を図１から図８に基づき説明する。図１は清掃用具Ａ１００を示す斜視図である。図１に示すとおり清掃用具Ａ１００は、保持具Ｃ１００と、保持具Ｃ１００に着脱自在とされた清掃シートＢ１００とにより構成される。清掃シートＢ１００には保持具Ｃ１００が装着される保持領域Ｂ１１０が構成される。なお、清掃シートＢ１００において清掃対象に当接される領域は清掃領域Ｂ１２０を構成する。この清掃用具Ａ１００が本発明に係る「清掃用具」の一例であり、保持具Ｃ１００が本発明に係る「保持具」の一例であり、清掃シートＢ１００が本発明に係る「清掃シート」の一例であり、保持領域Ｂ１１０が本発明に係る「保持領域」の一例であり、清掃領域Ｂ１２０が本発明に係る「清掃領域」の一例である。
【００２７】
清掃シートＢ１００は、清掃シートＢ１００のみで販売される場合と、清掃シートＢ１００と保持具Ｃ１００とが同時に梱包されて清掃用具Ａ１００として販売される場合がある。清掃シートＢ１００は、一回使用を目安とした使い捨てタイプのものや、清掃対象の被清掃面から除去したごみや埃を保持しつつ複数回の使用を目安として交換を行う使い捨てタイプのものであってもよい。
【００２８】
清掃シートＢ１００は、所定の清掃シート第１方向Ｂ１００ｙと、清掃シート第２方向Ｂ１００ｘを規定する。清掃シート第２方向Ｂ１００ｘは清掃シート第１方向Ｂ１００ｙと交差する方向であり、清掃シートＢ１００の長尺方向は清掃シート第１方向Ｂ１００ｙに延在される。
保持領域Ｂ１１０は清掃シート第１方向Ｂ１００ｙに延在される。なお、清掃シート第１方向Ｂ１００ｙにおいて、清掃シートＢ１００に保持具Ｃ１００を装着する側は挿入側Ｂ１００ｙ１を規定し、清掃シートＢ１００から保持具Ｃ１００を抜去する側は離脱側Ｂ１００ｙ２を規定する。
なお、保持具Ｃ１００の延在方向は、清掃シートＢ１００に保持具Ｃ１００を装着した状態における、清掃シートＢ１００の延在方向に基づき規定される。すなわち、保持具Ｃ１００において、清掃シートＢ１００の収容部Ｂ６００に挿入される長尺部Ｃ１１０は、清掃シート第１方向Ｂ１００ｙに延在する。なお、清掃シートＢ１００および保持具Ｃ１００の詳細な構成にあっては後述する。
【００２９】
（保持具の説明）
図２に基づき保持具Ｃ１００の説明を行う。図２は保持具Ｃ１００の全体を示す平面図である。
図２に示す通り、保持具Ｃ１００は、清掃シートＢ１００の保持領域Ｂ１１０に装着される長尺部Ｃ１１０と、使用者に把持されるハンドル部Ｃ１６０とを有する。長尺部Ｃ１１０は、先端部Ｃ１２０と、基部Ｃ１３０と、当該先端部Ｃ１２０と基部Ｃ１３０との間に延在する延在部Ｃ１４０とを有する。延在部Ｃ１４０は、基部Ｃ１３０から二股状に形成される。よって、基部Ｃ１３０は単一であるが、延在部Ｃ１４０と先端部Ｃ１２０とはそれぞれ２つずつ構成される。ハンドル部Ｃ１６０は、先端部Ｃ１６１と、後端部Ｃ１６２と、当該先端部Ｃ１６１と後端部Ｃ１６２との間に延在する把持部Ｃ１６３とを有する。長尺部Ｃ１１０の基部Ｃ１３０と、ハンドル部Ｃ１６０の先端部Ｃ１６１とは、着脱自在に構成されている。この長尺部Ｃ１１０が本発明に係る「長尺部」の一例であり、把持部Ｃ１６３が本発明に係る「把持部」の一例である。保持具Ｃ１００は、樹脂材料にて成型されている。
【００３０】
（清掃シートに係る説明）
図３から図５に基づき、清掃シートＢ１００の基本構成を説明する。図３は清掃シートＢ１００を示す平面図、図４は清掃シートＢ１００を示す底面図、図５は図３におけるＩＩ−ＩＩ線断面図である。
【００３１】
まず、図５により清掃シートＢ１００の全体構成を説明する。
図５に示すとおり清掃シートＢ１００は、シート状部材と、繊維束Ｂ４００とを主体として構成される。シート状部材とは、第１シートＢ２１０と、第２シートＢ２２０と、第３シートＢ２３０とを示す。この内、特に第１シートＢ２１０と第２シートＢ２２０は、収容部Ｂ６００を形成するためのシート要素を構成する。この第１シート２１０および第２シートＢ２２０が本発明に係る「シート要素」の一例である。
第１シートＢ２１０と第２シートＢ２２０は重ねられる。繊維束Ｂ４００は、第２シートＢ２２０と第３シートＢ２３０との間に配置される。
【００３２】
図５に示すとおり、第１シートＢ２１０、第２シートＢ２２０、繊維束Ｂ４００および第３シートＢ２３０は第１接合部Ｂ７１０により接合される。また、第１シートＢ２１０、第２シートＢ２２０および一部の繊維束Ｂ４００は第２接合部Ｂ７２０により接合される。保持領域Ｂ１１０は、第１シートＢ２１０と第２シートＢ２２０の間における第２接合部Ｂ７２０に囲まれた領域に構成される。この意味において、第１接合部Ｂ７１０は保持領域Ｂ１１０を分割する分割部を構成すると言うことができる。この第１接合部７１０が本発明に係る「接合部」の一例である。
【００３３】
これを換言すると、第１シートＢ２１０と第２シートＢ２２０とを積層することにより構成される積層シート体は、一対の第２接合部７２０により接合される。なお、一方の第２接合部７２０と他方の第２接合部７２０は、互いに離間する位置に配置される。この一対の第２接合部７２０が本発明に係る「第１シート接合部」と「第２シート接合部」の一例である。この結果、収容部Ｂ６００は、第１シートＢ２１０と、第２シートＢ２１０と、一対の接合部Ｂ７２０とにより囲まれた空間により構成されるということができる。この収容部Ｂ６００が本発明に係る「収容部」の一例であり、第１シート２１０が本発明に係る「第１シート状部材」の一例であり、第２シートＢ２２０が本発明に係る「第２シート状部材」の一例である。なお、収容部Ｂ６００は、第１接合部Ｂ７１０により区分される。
【００３４】
清掃領域Ｂ１２０は、第１シートＢ２１０と第２シートＢ２２０における清掃シート第１方向Ｂ１００ｙ上の両端部領域および清掃シート第２方向Ｂ１００ｘ上の両端部領域と、繊維束Ｂ４００と、第３シートＢ２３０とにより構成される。この内、特に繊維束Ｂ４００と第３シートＢ２３０は、使用者によって被清掃領域に当接されて清掃を行う刷毛部Ｂ５００を構成する。この第３シートＢ２３０が本発明に係る「清掃側シート状部材」の一例であり、繊維束Ｂ４００が本発明に係る「繊維束」の一例である。
【００３５】
なお、第１実施形態に係る清掃シートＢ１００は、刷毛部Ｂ５００が第２シートＢ２２０側のみに形成されている。一方、繊維束Ｂ４００を第１シートＢ２１０側と、第２シートＢ２２０側に接合することにより、保持部Ｂ６００を挟んだ両側に刷毛部Ｂ５００を形成することができる。
【００３６】
図３に示すとおり、保持部Ｂ６００は両端に開口Ｂ６１０を有する。保持具Ｃ１００の長尺部Ｃ１１０は、どちらの開口Ｂ６１０からも挿入することが可能である。図３に示すとおり、清掃シート第１方向Ｂ１００ｙにおいて、第１シートＢ２１０は第２シートＢ２２０よりも短く形成されている。図３に示すとおり第１シートＢ２１０および第２シートＢ２２０は、清掃シート第２方向Ｂ１００ｘに延在する切込み部Ｂ３１０を複数本有する。また、図４に示すとおり第３シートＢ２３０も、清掃シート第２方向Ｂ１００ｘに延在する切込み部Ｂ３１０を複数本有する。第１シートＢ２１０、第２シートＢ２２０および第３シートＢ２３０における隣接した切込み部Ｂ３１０の間には、短冊片Ｂ３１０が形成される。当該短冊片Ｂ３１０は、使用者により被清掃対象に当接され塵芥を掻き出す機能を有する。
【００３７】
換言すると、図３および図４に示すとおり、第１シートＢ２１０、第２シートＢ２２０および第３シートＢ２３０は、切込み要素Ｂ３３０と、切込み要素Ｂ３３０により構成される短冊要素Ｂ３００とを有する。切込み要素Ｂ３３０は、複数の切込み部Ｂ３３１により構成され、短冊要素Ｂ３００は、複数の切込み部Ｂ３３１における一対の切込み部Ｂ３３１同士の間に形成されるということができる。当該構成により短冊要素Ｂ３００には複数の短冊片Ｂ３１０が構成される。
この切込み要素Ｂ３３０が本発明に係る「切込み要素」の一例であり、短冊要素Ｂ３００が本発明に係る「短冊要素」の一例であり、切込み部Ｂ３１０が本発明に係る「切込み部」の一例である。
【００３８】
第１シートＢ２１０、第２シートＢ２２０および第３シートＢ２３０は可撓性を有する不織布などにより形成される。第１シートＢ２１０、第２シートＢ２２０および第３シートＢ２３０は、溶着部Ｂ７１０およびＢ７２０により溶着されるために、熱溶融性繊維（熱可塑性繊維）からなる不織布により形成されることが好ましい。次に、第１シートＢ２１０、第２シートＢ２２０および第３シートＢ２３０の構成につき説明を行う。
【００３９】
第１シートＢ２１０と第２シートＢ２２０は、不織布、樹脂フィルム、合成繊維を含んだ布等、使用に耐えうる強度を有するものであれば、どのようなものでも使用可能である。特に、強度の面においては、芯部分がポリエチレンテレフタレートであり鞘部分がポリエチレンである芯鞘複合繊維を用いた、目付が１０〜１００ｇｓｍのスルーエア不織布が好適である。
【００４０】
第３シートＢ２３０は、不織布、樹脂フィルム、合成繊維を含んだ布等、使用に耐えうる強度を有するものであれば、どのようなものでも使用可能である。第３シートＢ２３０が不織布である場合、特に強度の面においては、芯部分がポリエチレンテレフタレートであり鞘部分がポリエチレンである芯鞘複合繊維を用いた、目付が３０ｇｓｍ未満のスルーエア不織布が好適である。この場合、第３シートＢ２３０の目付は、第１シートＢ２１０および第２シートＢ２２０の目付よりも低いことが好ましい。このような構成とすることによって、第３シートＢ２３０を第１シートＢ２１０および第２シートＢ２２０よりも軽くそして軟らかく構成することができる。この結果、後述するとおり第３シートＢ２３０の短冊片Ｂ３１０を良好に起毛することが可能となる。
【００４１】
次に、第３シートＢ２３０および繊維束Ｂ４００の構成を図６および図７に基づき説明する。図６は短冊要素Ｂ３００の説明図、図７は短冊要素および繊維束を示す説明図である。
図６に示すとおり、第３シートＢ２３０は、第１接合部７１０と短冊要素Ｂ３００の先端部とに亘る方向により規定される短冊片第１方向Ｂ３１０ｙと、短冊片第１方向Ｂ３１０ｙと交差する短冊片第２方向Ｂ３１０ｘとを有する。この短冊片第１方向Ｂ３１０ｙが本発明に係る「第１方向」の一例であり、短冊片第２方向Ｂ３１０ｘが本発明に係る「第２方向」の一例である。
【００４２】
図６に示すとおり、短冊片Ｂ３１０は、短冊片第１方向Ｂ３１０ｙ上において、第１接合部Ｂ７１０側の接続端部Ｂ３１０ｂと、接続端部Ｂ３１０ｂとは反対側に位置する開放端部Ｂ３１０ａとを有する。また、複数の短冊片Ｂ３１０の内、第１接続部Ｂ７１０を挟んで対向する一対の短冊片Ｂ３１０を、それぞれ第１短冊片Ｂ３２１および第２短冊片Ｂ３２２と規定する。この第１短冊片Ｂ３２１が本発明に係る「第１短冊片」の一例であり、第２短冊片Ｂ３２２が本発明に係る「第２短冊片」の一例である。
【００４３】
なお、第３シートＢ２３０が不織布により構成される場合、当該不織布を構成する繊維を不織布構成繊維Ｂ２３１と記す。この不織布構成繊維Ｂ２３１が本発明に係る「不織布構成繊維」の一例である。不織布構成繊維Ｂ２３１は、説明の便宜上、図７のみに図示される。不織布構成繊維Ｂ２３１は、短冊片第１方向Ｂ３１０ｙに配向性を有するよう配置される。
また、図７に示すとおり、繊維束Ｂ４００は、所定の配向性を有する繊維束構成繊維Ｂ４１０を複数配列することにより構成される。より具体的には、繊維束構成繊維Ｂ４１０は、短冊片第１方向Ｂ３１０ｙに配向性を有する。なお、後述する通り短冊片Ｂ３１０および繊維束構成繊維Ｂ４１０は、清掃作業時にあっては変形されるものである。よって、繊維束構成繊維Ｂ４１０の配向性が短冊片第１方向Ｂ３１０ｙであるとは、短冊片Ｂ３１０と繊維束構成繊維Ｂ４１０が移動されていない状態や、設計上の状態を指すものである。この繊維束構成繊維Ｂ４１０が本発明に係る「繊維束構成繊維」の一例である。
繊維束構成繊維Ｂ４１０は、第１接合部Ｂ７１０側の接続端部Ｂ４１０ｂと、接続端部Ｂ４１０ｂとは反対側に位置する開放端部Ｂ４１０ａとを有する。
【００４４】
繊維束構成繊維Ｂ４１０は、「繊維」により形成される構造物を示す。この発明において、「繊維」とは、典型的な単一の繊維によるものや、典型的な繊維が長さ方向および／または径方向にそろって形成されるもの（撚糸、紡績糸、複数の長繊維が部分的に接続された糸材など）を含むものである。ここで「典型的な繊維」とは、糸、織物などの構成単位であり、太さに比して十分な長さを持つ、細くてたわみやすい形態のものである。具体的には長い連続状の繊維が長繊維（フィラメント）とされ、短い繊維が短繊維（ステープル）とされる。当該構成により、繊維束構成繊維Ｂ４１０は可撓性を有する。
【００４５】
より具体的には、繊維束Ｂ４００は、ポリエチレン、ポリプロピレン、ポリエチレンテレフタレート、ナイロン、レーヨン等から製造される繊維束構成繊維Ｂ４１０の集合体であり、一般的にトウと呼ばれるものを使用することができる。この際、繊維束構成繊維Ｂ４１０は、好ましくは０．５ｄｔｅｘから６６ｄｔｅｘの繊度を有し、1インチあたり５から３０のクリンプ数を有する捲縮繊維であることが好ましい。さらに、芯がポリエチレンテレフタレートであり、鞘がポリエチレンである芯鞘複合繊維であることが好ましい。
なお、繊維束Ｂ４００には、吸塵効果を向上させるために流動パラフィンが塗布されている。
【００４６】
図７に示すとおり、第３シートＢ２３０は、繊維束Ｂ４００側に向けられる第１面Ｂ３１１と、第１面Ｂ３１１とは反対側の第２面Ｂ３１２とを有する。この第１面Ｂ３１１が本発明に係る「第１面」の一例であり、第２面Ｂ３１２が本発明に係る「第２面」の一例である。上述したとおり、繊維束構成繊維Ｂ４１０および短冊片Ｂ３１０は可撓性を有する。よって、繊維束構成繊維Ｂ４１０と短冊片Ｂ３１０は、第１接合部Ｂ７１０を起点として保持領域Ｂ１１０から離間する方向へ起立可能に構成されている。
【００４７】
図７に示すとおり、短冊片Ｂ３１０は、第１面Ｂ３１１に構成された第１係合部Ｂ３１１ａと、第２面Ｂ３１２に構成された第２係合部Ｂ３１２ａを有する。この第１係合部Ｂ３１１ａが本発明に係る「第１係合部」の一例であり、第２係合部Ｂ３１２ａが本発明に係る「第２係合部」の一例である。
第１係合部Ｂ３１１ａは、第１面Ｂ３１１に露出した不織布構成繊維Ｂ２３１により構成され、第２係合部Ｂ３１２ａは、第２面Ｂ３１２に露出した不織布構成繊維Ｂ２３１により構成される。
【００４８】
次に、図８に基づき本発明の第１実施形態に係る清掃用具Ａ１００の動作につき説明を行う。清掃用具Ａ１００の使用に際し、使用者は清掃シートＢ１００の短冊片Ｂ３１０および繊維束構成繊維Ｂ４１０を起毛させる。当該起毛に際し、使用者は、例えば清掃シートＢ１００における清掃シート第１方向Ｂ１００ｙ上の両端部を両手で保持して当該両端部を交互に上下させ、その後に清掃シートＢ１００を保持具Ｃ１００に装着する。また、清掃シートＢ１００に保持具Ｃ１００を装着した状態で、把持部Ｃ１６３を把持した手を上下に振ることによっても当該起毛を行うことができる。
【００４９】
図８は、起毛された短冊片Ｂ３１０と繊維束構成繊維Ｂ４１０の状態を示す。なお、説明の便宜上、図８においては第１短冊片Ｂ３２１、第２短冊片Ｂ３２２および一部の繊維束構成繊維Ｂ４１０のみを示す。
第１短冊片Ｂ３２１および第２短冊片Ｂ３２２が起立した状態においては、第１係合部Ｂ３１１ａは繊維束構成繊維Ｂ４１０と係合する。この際、第１係合部Ｂ３１１ａと繊維束構成繊維Ｂ４１０の係合にあっては、第１係合部Ｂ３１１ａと繊維束構成繊維Ｂ４１０の全体が係合する必要は無く、第１係合部Ｂ３１１ａと繊維束構成繊維Ｂ４１０の一部の領域同士が係合されれば足りる。
また、第１短冊片Ｂ３２１の第２係合部Ｂ３１２ａと第２短冊片Ｂ３２２の第２係合部Ｂ３１２ａとは互いに係合する。この際、第１短冊片Ｂ３２１の第２係合部Ｂ３１２ａと第２短冊片Ｂ３２２の第２係合部Ｂ３１２ａの係合にあっては、二つの短冊片Ｂ３２２における第２係合部Ｂ３１２ａ同士の全体が係合する必要は無く、二つの短冊片Ｂ３２２における第２係合部Ｂ３１２ａの一部の領域同士が係合されれば足りる。
【００５０】
すなわち、本発明の第１実施形態に係る清掃用具Ａ１００にあっては、短冊片Ｂ３１０と繊維束構成繊維Ｂ４１０とを起毛した場合、短冊片Ｂ３１０と繊維束構成繊維Ｂ４１０が係合されるとともに、短冊片Ｂ３１０同士が係合される。よって、刷毛部Ｂ５００を構成する短冊片Ｂ３１０と繊維束構成繊維Ｂ４１０が効率的な起毛を行うことが可能となり、特に清掃作業の初期段階において、短冊片Ｂ３１０と繊維束構成繊維Ｂ４１０との間における塵芥の付着空間を好適に確保することが可能となる。また、刷毛部Ｂ５００の目視によるボリューム感が向上するため、使用者に対して効率的な清掃作業を行うことに対する期待感を増加させることが可能となる。
【００５１】
（好適な第３シートの説明）
上述した短冊片Ｂ３１０と繊維束構成繊維Ｂ４１０の起毛を図るため、第３シートＢ２３０を構成する不織布の適切な構成として、次の物性が挙げられることを確認した。なお、不織布構成繊維Ｂ２３１は、短冊片第１方向Ｂ３１０ｙに配向性を有することが好ましい。
【００５２】
第３シートＢ２３０を起立させるにあたっては、不織布の剛性が低いことが好ましい。具体的には、第３シートＢ２３０は、第１方向の剛性が６９．７ｍｍから８０．０ｍｍであるとともに、第２方向の剛性が３５．０ｍｍから３９．９ｍｍの不織布であることが好ましい。なお、剛性は、ＪＩＳ  Ｌ  ８．２１  剛軟度（カンチレバーＡ法）に基づき測定される。このことから、第３シートＢ２３０は、第１方向の剛性が第２方向の剛性よりも大きいことが好ましいといえる。
【００５３】
第１係合部Ｂ３１１ａおよび第２係合部Ｂ３１２ａを構成するためには、不織布構成繊維Ｂ２３１を第１面Ｂ３１１および第２面Ｂ３２２に適切に配置する必要がある。当該構成は、隣接する不織布構成繊維Ｂ２３１同士の距離を大きくすることにより達成することができる。この隣接する不織布構成繊維Ｂ２３１同士の距離が大きくなるということは、不織布の全光線透過率が大きくなることを意味する。
具体的には、第３シートＢ２３０は、全光線透過率が８０パーセント以上であることが好ましい。より具体的には８３．０３パーセントから８８．４３パーセントの不織布であることが好ましい。なお、全光線透過率はＪＩＳ−Ｋ７１０５に基づき測定される。より具体的には、日本国東京都文京区千石４−４５−１７に住所を有する日本電色工業株式会社製の光照射側光方式色差計Ｚ−３００Ａに基づき測定を行った。
【００５４】
第１係合部Ｂ３１１ａと第２係合部Ｂ３１２ａが奏する機能を考慮すると、第２面Ｂ３１２における短冊片第１方向Ｂ３１０ｙの平均摩擦係数が、第１面Ｂ３１１における短冊片第１方向Ｂ３１０ｘ平均摩擦係数よりも大きいことが好ましい。当該構成によって、複数の短冊片Ｂ３１０同士の係合を良好な状態とすることができる。すなわち、良好な状態により係合された短冊片Ｂ３１０に対し繊維束構成繊維Ｂ４１０が係合するため、複数の短冊片Ｂ３１０と繊維束構成繊維Ｂ４１０の起立の確実性を向上させることができる。
また、係合している短冊片Ｂ３１０同士が清掃シート第１方向Ｂ１００ｙにずれてしまうことを抑制するためには、第２面Ｂ３１２における短冊片第２方向Ｂ３１０ｘの平均表面摩擦係数が、第１面Ｂ３１１における短冊片第２方向Ｂ３１０ｘの平均表面摩擦係数よりも大きいことが好ましい。
【００５５】
この意味において、第３シートＢ２３０は、第１面Ｂ３１１における短冊片第１方向Ｂ３１０ｙの平均表面摩擦係数が０．１２６ミューから０．１２９ミューであるとともに、第２面Ｂ３１２における短冊片第１方向Ｂ３１０ｙの平均表面摩擦係数が０．１３８ミューから０．１４５ミューである不織布が好ましい。
また第３シートＢ２３０は、第１面Ｂ３１１における短冊片第２方向Ｂ３１０ｘの平均表面摩擦係数が０．１３６ミューから０．１３７ミューであるとともに、第２面Ｂ３１２における短冊片第２方向Ｂ３１０ｘの平均表面摩擦係数が０．１４５ミューから０．１６３ミューである不織布が好ましい。
なお、平均表面摩擦係数は日本国京都市南区西九条唐戸町２６に住所を有するカトーテック株式会社性のＫＥＳ−ＦＢ４を用いて評価をした。測定条件は、サンプルとなる不織布の大きさが縦１００ｍｍおよび横１００ｍｍであり、張力が４００ｇであり、摩擦静荷重が５０ｇであり、粗さ静荷重が１０gであり、標準スピードが１秒あたり１ｍｍである。
【００５６】
短冊片Ｂ１０と繊維束構成繊維Ｂ４１０、および短冊片Ｂ３１０同士の係合状態の確実性を向上させるためには、第３シートＢ２３０の表面が粗いことが好ましい。この点において、第３シートＢ２３０が、第１面Ｂ３１１における短冊片第１方向Ｂ３１０ｙの表面粗さの平均偏差が３．２２５ミクロンから３．３５０ミクロンであるとともに、第２面Ｂ３１２における短冊片第１方向Ｂ３１０ｙの表面粗さの平均偏差が３．２５０ミクロンから３．５３５ミクロンの不織布であることが好ましい。このことから、第３シートＢ２３０は、第２面Ｂ３１２における短冊片第１方向Ｂ３１０ｙの表面粗さの平均偏差が、第１面Ｂ３１１における短冊片第１方向Ｂ３１０ｙの表面粗さの平均偏差よりも大きいことが好ましいといえる。
なお、表面粗さの平均偏差はカトーテック株式会社性のＫＥＳ−ＦＢ４を用いて評価をした。測定条件は、サンプルとなる不織布の大きさが縦１００ｍｍおよび横１００ｍｍであり、張力が４００ｇであり、摩擦静荷重が５０ｇであり、粗さ静荷重が１０gであり、標準スピードが１秒あたり１ｍｍである。
【００５７】
以上の第３シートＢ２３０に好適な不織布の条件を踏まえ、次の清掃領域Ｂ１２０を有する清掃シートＢ１００を作成した。
（実施例に係る清掃領域Ｂ１２０の構成）
・不織布構成繊維Ｂ２３１は、素材がポリエチレンテレフタレートの芯材と、ポリエチレン鞘材を有する芯鞘複合繊維であり、繊度が３．２ｄｔｅｘであり、平均繊維長が３９ｍｍである。
・不織布の目付は２０ｇｓｍである。
・不織布の製法はスルーエアである。
・繊維束Ｂ４００は、繊維束構成繊維Ｂ４１０の繊度が３．３ｄｔｅｘのものを、約３７５００本（トータル繊度は約１２．４万ｄｔｅｘ）配列することにより得た。」
（比較例に係る清掃領域Ｂ１２０の構成）
・不織布構成繊維Ｂ２３１は、素材がポリエチレンテレフタレートの芯材と、ポリエチレン鞘材を有する芯鞘複合繊維を使用した。当該芯鞘複合繊維として、繊度が２．２ｄｔｅｘであり平均繊維長が５１ｍｍのものを３５パーセント、繊度が２．８ｄｔｅｘであり平均繊維長が４５ｍｍのものを６５パーセント配合した。
・不織布の目付は３０ｇｓｍである。
・不織布の製法はスルーエアーである。
・繊維束Ｂ４００は、繊維束構成繊維Ｂ４１０の繊度が３．５ｄｔｅｘのものを、約３１２５０本（トータル繊度は約１１．０万ｄｔｅｘ）配列することにより得た。
【００５８】
上記の実施例に係る清掃領域Ｂ１２０を有する清掃シートＡ１００と、比較例に係る清掃領域を有する清掃シートを同一の条件により短冊片と繊維束構成繊維とを起毛させ、目視により結果を確認した。その結果、実施例に係る清掃シートＡ１００の方が、比較例に係る清掃シートよりも好適な起毛状態を得ることが可能なことを確認した。
【００５９】
さらに、実際の製品を想定し、短冊片第２方向Ｂ３１０ｘの短冊シート７個に相当する第３シートＢ２３０の大きさを４０ｍｍ四方と規定した。上記条件に係る実施例および比較例の不織布を作成し、厚みを測定した。厚みの測定にあたっては、日本国東京都板橋区常盤台１−６３−１１ に住所を有する株式会社尾崎製作所製のＰＥＡＣＯＣＫ測定器を使用した。当該ＰＥＡＣＯＣＫ測定器は、測定面の直径が４４ｍｍであり、測定圧が３ｇ／ｃｍ２である。
この結果、実施例の不織布は厚みが０．３１５ｍｍであり、比較例の不織布は厚みが０．６０５２ｍｍであった。
この結果から、実施例の不織布は比較例の不織布よりも薄いことが好ましいことが確認された。さらに、実施例の不織布の目付は、比較例の不織布の目付よりも低いことから、短冊片Ｂ３１０の良好な起毛状態を得るためには、薄く軽い不織布が好ましいことを確認することができた。
【００６０】
（第２実施形態の説明）
次に、図９に基づき第２実施形態に係る清掃用具Ａ１００の説明を行う。なお、第２実施形態の清掃用具Ａ１００において、第１実施形態の清掃用具Ａ１００と同様の構造や同様の機能を奏する部品および構成については、同一の符号を付すとともにその説明を省略する。
第２実施形態の清掃用具Ａ１００は、第１実施形態の清掃用具Ａ１００と比して保持領域Ｂ１１０の構成が異なる。すなわち、第２実施形態の清掃用具Ａ１００における収容部Ｂ６００は、第１シートＢ２１０のみにより構成される。この第１シートＢ２１０が本発明に係る「単一のシート状部材」の一例である。
【００６１】
図９に示す通り、第１シートＢ２１０は互いに離間した領域が積層され積層部を構成する。当該積層部は接合部を積層することにより構成される積層部と、前記積層部において積層された接合部Ｂ７３０により接合される。この接合部Ｂ７３０が本発明に係る「シート接合部」の一例である。当該構成により、収容部Ｂ６００は、接合部Ｂ７３０と、接合部Ｂ７３０における一方の端部から他方の端部に亘る第１シートＢ２１０の領域とにより囲まれた空間により構成される。
【００６２】
第２実施形態に係る清掃用具Ａ１００にあっては、収容部Ｂ６００に保持具Ｃ１００の延在部Ｃ１４０を装着することができる。また、清掃領域Ｂ１２０の構成は第１実施形態と同一であるため、短冊片Ｂ３１０と繊維束構成繊維Ｂ４１０の起立に係る効果と同一の効果を奏することが可能である。
【００６３】
（実施の形態ないし実施例本発明の各構成要素の対応について）
清掃用具Ａ１００は本発明に係る「清掃用具」の一例である。保持具Ｃ１００は本発明に係る「保持具」の一例である。清掃シートＢ１００は本発明に係る「清掃シート」の一例である。保持領域Ｂ１１０は本発明に係る「保持領域」の一例である。清掃領域Ｂ１２０は本発明に係る「清掃領域」の一例である。長尺部Ｃ１１０は本発明に係る「長尺部」の一例である。把持部Ｃ１６３は本発明に係る「把持部」の一例である。第１シート２１０および第２シートＢ２２０は本発明に係る「シート要素」の一例である。第１接合部７１０は本発明に係る「接合部」の一例である。一対の第２接合部７２０は本発明に係る「第１シート接合部」と「第２シート接合部」の一例である。第１シート２１０は本発明に係る「第１シート状部材」の一例である。第２シートＢ２２０は本発明に係る「第２シート状部材」の一例である。収容部Ｂ６００は本発明に係る「収容部」の一例である。第３シートＢ２３０は本発明に係る「清掃側シート状部材」の一例である。繊維束Ｂ４００は本発明に係る「繊維束」の一例である。切込み要素Ｂ３３０は本発明に係る「切込み要素」の一例である。短冊要素Ｂ３００は本発明に係る「短冊要素」の一例である。切込み部Ｂ３１０は本発明に係る「切込み部」の一例である。短冊片第１方向Ｂ３１０ｙは本発明に係る「第１方向」の一例である。短冊片第２方向Ｂ３１０ｘは本発明に係る「第２方向」の一例である。第１短冊片Ｂ３２１は本発明に係る「第１短冊片」の一例である。第２短冊片Ｂ３２２は本発明に係る「第２短冊片」の一例である。不織布構成繊維Ｂ２３１は本発明に係る「不織布構成繊維」の一例である。繊維束構成繊維Ｂ４１０は本発明に係る「繊維束構成繊維」の一例である。第１面Ｂ３１１は本発明に係る「第１面」の一例である。第２面Ｂ３１２は本発明に係る「第２面」の一例である。第１係合部Ｂ３１１ａは本発明に係る「第１係合部」の一例である。第２係合部Ｂ３１２ａは本発明に係る「第２係合部」の一例である。第１シートＢ２１０は本発明に係る「単一のシート状部材」の一例である。接合部Ｂ７３０は本発明に係る「シート接合部」の一例である。
【符号の説明】
【００６４】
Ａ１００  清掃用具
Ｂ１００  清掃シート
Ｂ１００ｘ  清掃シート第２方向
Ｂ１００ｙ  清掃シート第１方向
Ｂ１００ｙ１  挿入側
Ｂ１００ｙ２  離脱側
Ｂ１１０  保持領域
Ｂ１２０  清掃領域
Ｂ２１０  第１シート（シート要素、第１シート状部材）
Ｂ２２０  第２シート（シート要素、第２シート状部材）
Ｂ２３０  第３シート（清掃側シート状部材）
Ｂ２３１  不織布構成繊維
Ｂ３００  短冊要素
Ｂ３１０  短冊片
Ｂ３１０ａ  開放端部
Ｂ３１０ｂ  接続端部
Ｂ３１０ｘ  短冊片第２方向（第２方向）
Ｂ３１０ｙ  短冊片第１方向（第１方向）
Ｂ３１１  第１面
Ｂ３１１ａ  第１係合部
Ｂ３１２  第２面
Ｂ３１２ａ  第２係合部
Ｂ３２１  第１短冊片
Ｂ３２２  第２短冊片
Ｂ３３０  切込み要素
Ｂ３３１  切込み部
Ｂ４００  繊維束
Ｂ４１０  繊維束構成繊維
Ｂ４１０ａ  開放端部
Ｂ４１０ｂ  接続端部
Ｂ５００  刷毛部
Ｂ６００  収容部
Ｂ６１０  開口
Ｂ７１０  第１接合部（接合部）
Ｂ７２０  第２接合部（第１シート接合部、第２シート接合部）
Ｂ７３０  接合部（シート接合部）
Ｃ１００  保持具
Ｃ１１０  長尺部
Ｃ１２０  先端部
Ｃ１３０  基部
Ｃ１４０  延在部
Ｃ１４１  第１延在部
Ｃ１４２  第２延在部
Ｃ１５１  先端側凸部
Ｃ１５２  基部側凸部
Ｃ１６０  ハンドル部
Ｃ１６１  先端部
Ｃ１６２  後端部
Ｃ１６３  把持部
【要約】
【課題】  清掃領域に塵芥を取り込む空間を設ける構成に関する一層合理的な構築技術を提供する。
【解決手段】
繊維束Ｂ４００を構成する繊維束構成繊維Ｂ４１０と、短冊片Ｂ３１０は、接合部Ｂ７１０を起点として保持領域Ｂ１１０から離間する方向へ起立可能に構成され、第１短冊片Ｂ３２１および第２短冊片Ｂ３２２が起立した状態において、第１係合部Ｂ３１１ａは繊維束構成繊維Ｂ４１０と係合可能に構成され、第１短冊片Ｂ３２１の第２係合部Ｂ３１２ａと第２短冊片Ｂ３２２の第２係合部Ｂ３１２ａとは互いに係合可能に構成されている。
【選択図】  図８【図１】
0005740067.tif 000002
【図２】
0005740067.tif 000003
【図３】
0005740067.tif 000004
【図４】
0005740067.tif 000005
【図５】
0005740067.tif 000006
【図６】
0005740067.tif 000007
【図７】
0005740067.tif 000008
【図８】
0005740067.tif 000009
【図９】
0005740067.tif 000010